(57)【要約】【課題】ロール面長より長い長尺状のドクターブレードを用いてドクタリングを行うに適したドラム式セルフクリーニングドクター装置を提案すること。【解決手段】ドラム式セルフクリーニングドクター装置１では、移動式ドクターブレード８が渦巻き状に巻き取られているブレード供給ドラム１１から引き出された移動式ドクターブレード８がドクタリング位置１ａを経由して、ブレード回収ドラム１２まで引き出されている。エアークラッチ１５を介してモータ１６によりブレード回収ドラム１２を回転させてドクタリング位置１ａにある移動式ドクターブレード８の部分をブレード回収ドラム１２に巻き取り、ブレード供給ドラム１１の側から新しい移動式ドクターブレード８の部分を引き出してドクタリング位置１ａに移動させる。移動時に、ブレードクリーニング機構１８によって回収される移動式ドクターブレード８の部分のクリーニングが行われる。【選択図】図１
0003130096.tif 000002
【実用新案登録請求の範囲】
【請求項１】
渦巻き状に巻き取られている長尺状のドクターブレードを供給するブレード供給ドラムと、
長尺状のドクターブレードを渦巻き状に巻き取って回収するブレード回収ドラムと、
前記ブレード供給ドラムから巻き出された前記ドクターブレードをドクタリング位置を経由して前記ブレード回収ドラムに向けて移動させるブレード移動機構と、
前記ドクタリング位置にある前記ドクターブレードの部分を、前記ドクタリング位置においてドクタリング対象のロールの外周面に対して圧接可能なブレード支持機構と、
前記ドクタリング位置を経由して前記ブレード回収ドラムに巻き取られる前の前記ドクターブレードの部分に付着している異物を掻き落とすための回収側ブレードクリーニング機構とを有し、
前記ブレード移動機構は、前記ブレード回収ドラムを前記ドクターブレードを巻き取る方向に回転させるための回収側モータと、この回収側モータの回転力を前記ブレード回収ドラムに伝達するか否かを切り替えるための回収側エアークラッチとを備えていることを特徴とするドラム式セルフクリーニングドクター装置。
【請求項２】
請求項１において、
前記ドクタリング位置を経由して前記ブレード供給ドラムに巻き取られる前の前記ドクターブレードの部分に付着している異物を掻き落とすための供給側ブレードクリーニング機構を有し、
前記ブレード移動機構は、前記ブレード供給ドラムを前記ドクターブレードを巻き取る方向に回転させるための供給側モータと、この供給側モータの回転力を前記ブレード供給ドラムに伝達するか否かを切り替えるための供給側エアークラッチとを備えていることを特徴とするドラム式セルフクリーニングドクター装置。
【請求項３】
請求項１または２において、
前記ブレード移動機構は、前記ドクタリング位置と前記ブレード供給ドラムの間、および、前記ドクタリング位置と前記ブレード供給ドラムの間のうち、少なくとも一方に、ドクターブレードの移動方向を変更するためのプーリーなどのガイド部材を有していることを特徴とするドラム式セルフクリーニングドクター装置。
【考案の詳細な説明】
【技術分野】
【０００１】
本考案は抄紙機ロール、製鉄用ロールなどのロールの表面に付着した紙かすなどの異物を掻き取るために使用されるドクター装置に関するものである。さらに詳しくは、長さがロール面長（ロール軸線方向の長さ）より長く、ロール面長方向に移動可能な長尺状のドクターブレードを備えたドクター装置に関するものである。
【背景技術】
【０００２】
ドクター装置としては、回転しているロールの表面にドクターブレードの刃先を圧接することにより、当該ロール表面に付着している異物を掻き落とすように構成されたものが知られている。また、この形式のドクター装置において、ドクターブレードとしてロール面長よりも十分に長い長尺状のドクターブレードを使用し、ロール表面に圧接されている刃先部分が摩耗した場合には、新しい刃先部分がロール表面に圧接するまでドクターブレードをロール面長方向に移動させ、ドクターブレードの交換回数を少なくしたものが知られている。例えば、特許文献１、２において提案されている。
【特許文献１】特開平１１−２４７０８７号公報
【特許文献２】特開２０００−３３４９１５号公報
【考案の開示】
【考案が解決しようとする課題】
【０００３】
本考案の課題は、長尺状のドクターブレードをドクタリング位置を経由して移動させるのに適した移動機構を備えたドクター装置を提案することにある。
【課題を解決するための手段】
【０００４】
本考案のドラム式セルフクリーニングドクター装置は、
渦巻き状に巻き取られている長尺状のドクターブレードを供給するブレード供給ドラムと、
長尺状のドクターブレードを渦巻き状に巻き取って回収するブレード回収ドラムと、
前記ブレード供給ドラムから巻き出された前記ドクターブレードをドクタリング位置を経由して前記ブレード回収ドラムに向けて移動させるブレード移動機構と、
前記ドクタリング位置にある前記ドクターブレードの部分を、前記ドクタリング位置においてドクタリング対象のロールの外周面に対して圧接可能なブレード支持機構と、
前記ドクタリング位置を経由して前記ブレード回収ドラムに巻き取られる前の前記ドクターブレードの部分に付着している異物を掻き落とすための回収側ブレードクリーニング機構とを有し、
前記ブレード移動機構は、前記ブレード回収ドラムを前記ドクターブレードを巻き取る方向に回転させるための回収側モータと、この回収側モータの回転力を前記ブレード回収ドラムに伝達するか否かを切り替えるための回収側エアークラッチとを備えていることを特徴としている。
【０００５】
ここで、ブレード回収ドラムに巻き取られる長尺状のドクターブレードは回収側ブレードクリーニング機構によって異物が掻き落とされている。したがって、長尺状のドクターブレードの刃先の磨耗が少ない場合には、当該長尺状のドクターブレードを逆送りすることにより、繰り返し使用することができる。
【０００６】
この場合には、前記ドクタリング位置を経由して前記ブレード供給ドラムに巻き取られる前の前記ドクターブレードの部分に付着している異物を掻き落とすために、たとえば、当該ドクターブレードの両面に圧接される一対のドクターブレードを備えた構成の供給側ブレードクリーニング機構を配置し、さらに、前記ブレード移動機構を、前記ブレード供給ドラムを前記ドクターブレードを巻き取る方向に回転させるための供給側モータと、この供給側モータの回転力を前記ブレード供給ドラムに伝達するか否かを切り替えるための供給側エアークラッチとを備えた構成とすればよい。
【０００７】
また、ブレード供給ドラム、ブレード回収ドラムの設置位置を変更できるようにするために、前記ブレード移動機構は、前記ドクタリング位置と前記ブレード供給ドラムの間、および、前記ドクタリング位置と前記ブレード供給ドラムの間のうち、少なくとも一方に、ドクターブレードの移動方向を変更するためのプーリーなどのガイド部材を有していることが望ましい。
【考案の効果】
【０００８】
本考案のドラム式セルフクリーニングドクター装置では、モータおよびエアークラッチを用いることにより、ブレード供給ドラムあるいはブレード回収ドラムを回転させ、長尺状のドクターブレードの繰り出し動作、巻き取り動作を円滑に行うことができる。また、プーリーなどのガイド部材を用いることにより、長尺状のドクターブレードの巻き取り方向を変更できるので、レイアウトの自由度が高まるなどの利点もある。
【考案を実施するための最良の形態】
【０００９】
以下に、図面を参照して、本考案を適用したドラム式セルフクリーニングドクター装置の実施の形態を説明する。
【００１０】
図１は、ドラム式セルフクリーニングドクター装置の全体構成を示す説明図である。ドラム式セルフクリーニング式ドクター装置１は、抄紙機ロール等のロール２の外周面をドクタリングするためのものであり、ロール２の外周面に対峙するドクタリング位置１ａに配置されているブレード支持機構３を備えている。ブレード支持機構３は、ロール２の外周表面に対峙している保持用ブレード４と、これを保持しているブレードホルダ５と、このブレードホルダ５を支持しているドクターバック６とを有している。ドクターバック６は、その両端のジャーナル６ａ、６ｂを介して、固定した位置に配置されているブラケット７ａ、７ｂによって旋回可能に支持されている。保持用ブレード４は、ロール面長Ｌよりも長い長尺状の移動式ドクターブレード８を、その長さ方向に摺動可能な状態で保持している。
【００１１】
また、ドラム式セルフクリーニングドクター装置１は、移動式ドクターブレード８が渦巻き状に巻き取られているブレード供給ドラム１１と、移動式ドクターブレード８を渦巻き状に巻き取って回収するブレード回収ドラム１２とを有している。ブレード供給ドラム１１は、供給側エアークラッチ１３を介して伝達される供給側モータ１４の回転によって回転駆動される。同様に、ブレード回収ドラム１２は、回収側エアークラッチ１５を介して伝達される回収側モータ１６の回転によって回転駆動される。これらのモータ１４、１６およびエアークラッチ１３、１５によってブレード移動機構が構成されている。
【００１２】
さらに、ブレード供給ドラム１１とドクタリング位置１ａの間には、ブレード供給ドラム１１に向けて移動（後退ＢＫ）する移動式ドクターブレード８の部分の表面に付着している異物を掻き落とすためのブレードクリーニング機構１７が配置されている。同様に、ブレード回収ドラム１２とドクタリング位置１ａの間には、ブレード回収ドラム１２に向けて移動（前進ＦＲ）する移動式ドクターブレード８の部分の表面に付着している異物を掻き落とすためのブレードクリーニング機構１８が配置されている。これらのブレードクリーニング機構１７、１８は、それぞれ、移動式ドクターブレード８の両面に圧接される細幅の一対のドクターブレードを備えている。
【００１３】
ドラム式セルフクリーニングドクター装置１の駆動制御は制御盤２１によって行われるようになっている。制御盤２１は、移動式ドクターブレード８の移動経路上に配置されている供給側ブレードセンサ２２、および回収側ブレードセンサ２３の出力に基づき、ドライバ２４を介して供給側モータ１４および回収側モータ１６を駆動制御すると共に、空気圧回路２５を介して供給側および回収側のエアークラッチ１３、１５を駆動制御して、移動式ドクターブレード８を前進方向ＦＲおよび後退方向ＢＫに移動する制御を行う。
【００１４】
図２はブレード支持機構３の概略断面図であり、図３は移動式ドクターブレード８および保持用ブレード４を示す概略断面図である。これらの図に示すように、移動式ドクターブレード８は、ロール２の外周面２ａに圧接される刃先８ａが一方の縁に形成された一定幅の長尺状のものであり、保持用ブレード４は、この移動式ドクターブレード８の他方の縁８ｂが摺動可能に差し込まれる差し込み部４２を先端に備えている。保持用ブレード４の後端部分は、ブレードホルダ５の先端に形成した差し込み部５１に着脱可能に差し込まれている。
【００１５】
ブレードホルダ５は、トッププレート５２と、この裏面側に一定の間隔で取り付けたフィンガプレート５３と、各フィンガプレートを貫通して延びる連結ロッド５４とを備えている。連結ロッド５４の両端は、ドクターバック６の上面に固着したブラケット６３、６４によって回転自在に支持されている。上記の差し込み部５１は、トッププレート５２の先端部分とフィンガプレート５３の先端部分とによって区画形成されている。
【００１６】
ドクターバック６の上面にはボトムプレート６５が取り付けられており、このボトムプレート６５とブレードホルダ５のフィンガプレート５３の間には、連結ロッド５４を挟み加圧用チューブ５５および開放用チューブ５６が配置されている。これらのチューブ５５、５６は、空気圧回路２５における切り換え弁８１を介して、圧縮空気供給源８２の側に繋がっている。加圧用チューブ５５に圧縮空気を供給して膨張させ、開放用チューブ５６の側を大気開放すれば、連結ロッド５４を中心として、ブレードホルダ５は保持用ブレード４をロール２の側に押し付ける方向に旋回する。逆に、加圧用チューブ５５を大気開放し、開放用チューブ５６の側に圧縮空気を供給すれば、連結ロッド５４を中心として、ブレードホルダ５は保持用ブレード４をロール２から離す方向に旋回する。
【００１７】
図３に示すように、保持用ブレード４の先端部分の表面側には、取付け用金具４５によってフィンガ４６が取り付けられており、保持用ブレード４の先端部分とフィンガ４６の間に形成した隙間が、移動式ドクターブレード８の差し込み部４２とされている。
【００１８】
保持用ブレード４の後端部分４３は、ブレードホルダ５の先端部分に形成した差し込み部５７に差し込まれて、この差し込み部５７を構成する部分によって上下から挟まれた状態で保持されていると共に、ばね部材５８によって付勢されている。さらに、差し込み部５７の一方の側を規定しているトッププレート５２の先端部分と、差し込まれた保持用ブレード４の間には、薄いゴム板５９が挟み込まれている。このゴム板５９は保持用ブレード４とほぼ同一の長さである。
【００１９】
図４は回収側ブレードクリーニング機構１８の概略構成図である。ブレードホルダ４の差し込み部４２の回収側の端とブレード回収ドラム１２の間に、回収側ブレードクリーニング機構１８が配置されており、差し込み部４２の供給側の端とブレード供給ドラム１１の間に、供給側ブレードクリーニング機構１７が配置されている。双方は同一構造であるので、回収側ブレードクリーニング機構１８の構造を以下に説明する。
【００２０】
ブレードクリーニング機構１８は、移動式ドクターブレード８の両側に配置されている同一構造のドクター装置１２０、１３０を備えている。これらは、移動式ドクターブレード８よりも僅かに広い幅のドクターブレード１２１、１３１と、ドクターブレード１２１、１３１を保持しているブレード保持部１２２、１３２と、ブレード保持部１２２、１３２を支持しているドクターバック１２３、１３３とを備えた構成となっている。
【００２１】
ブレード保持部１２２、１３２は加圧用チューブ１２４、１３４と、開放用チューブ１２５、１３５を備えており、上記のドクター装置１の本体部分の場合と同様に、これらのチューブを膨張、収縮させることにより、ドクターブレード１２１、１３１の移動式ドクターブレード８に対する圧接力を調整可能となっている。
【００２２】
この構成のドラム式セルフクリーニングドクター装置１において、ブレード供給ドラム１１から繰り出された移動式ドクターブレード８の先端部をドクタリング位置１ａを経由して引き出して反対側のブレード回収ドラム１２に巻きつける。この状態でブレード回収ドラム１２の回収側モータ１６を回転させ、エアークラッチ１５を介して伝達される回転力によってブレード回収ドラム１２を回転させると、このブレード回収ドラム１２に移動式ドクターブレード８が巻き取られ、所定の緊張状態で移動式ドクターブレード８がドクタリング位置１ａを経由して引き出された状態を形成できる。
【００２３】
この状態で、ブレード支持機構３によって移動式ドクターブレード８を回転しているロール２の外周面２ａに圧接させた状態にすると、外周面２ａに付着している異物の掻き落とし動作が行われる。
【００２４】
所定期間に亘ってドクタリングを行った後には、移動式ドクターブレード８をロール２の外周面２ａから離し、ブレード回収ドラム１２の巻き取り動作を行い、新しい移動式ドクターブレード８の部分をドクタリング位置１ａに移動させる。この移動時には、回収側のブレードクリーニング機構１８によって、ブレード回収ドラム１２に巻き取られる移動式ドクターブレード８の部分に付着している異物が掻き落とされる。
【００２５】
ブレード供給ドラム１１の側に巻き取られている移動式ドクターブレード８が無くなった後は、移動式ドクターブレード８を後退方向に移動させて、ドクタリングを行うことができる。この場合には、ブレード回収ドラム１２の側のエアークラッチ１５を切断状態に切り替え、ブレード供給ドラム１１の側のエアークラッチ１３を接続してモータ１４を回転駆動させて、移動式ドクターブレード８を後退方向に所定長さだけ逆送りして止める。しかる後にドクタリングを所定時間に亘って行う。かかる逆送り、および、ドクタリングが繰り返される。この場合には、逆送り時においてブレードクリーニング機構１７によってブレード供給ドラム１１に巻き取られる移動式ドクターブレード８がクリーニングされる。
【００２６】
なお、移動式ドクターブレード８を連続して微小送りしながらドクタリングを行うようにしてもよい。この場合には、ドクタリング位置１ａを介して順次に新しい移動式ドクターブレード８の部分が移動することになる。
【００２７】
ここで、図５に示すように、移動式ドクターブレード８の移動方向を変更することにより、ブレード供給ドラム１１の設置位置を変更することができる。図示の例では移動式ドクターブレード８のガイド部材としてプーリー７０を用いている。複数のプーリーを用いても良い。また、ブレード回収ドラム１２の設置位置を変更するためにブレード回収ドラム１２の側にガイド部材を配置することもできる。
【図面の簡単な説明】
【００２８】
【図１】本考案を適用したドラム式セルフクリーニングドクター装置の全体構成図である。
【図２】図１のドクター装置の断面構成図である。
【図３】図１のドクターブレードの構成を示す概略構成図である。
【図４】図１のブレードクリーニング用ドクター装置の概略構成図である。
【図５】移動式ドクターブレードの移動方向を変更した場合を示す説明図である。
【符号の説明】
【００２９】
１    ドラム式セルフクリーニングドクター装置
１ａ  ドクタリング位置
２    ロール
２ａ  外周面
３    ブレード支持機構
４    保持用ブレード
５    ブレードホルダ
６    ドクターバック
６、６ｂ  ジャーナル
７ａ、７ｂ  ブラケット
８    移動式ドクターブレード
８ａ  刃先
８ｂ  縁
１１  ブレード供給ドラム
１２  ブレード回収ドラム
１３  供給側エアークラッチ
１４  供給側モータ
１５  回収側エアークラッチ
１６  回収側モータ
１７、１８  ブレードクリーニング機構
２１  制御盤
２２  供給側ブレードセンサ
２３  回収側ブレードセンサ
２４  ドライバ
２５  空気圧回路
４２  差し込み部
４３  後端部分
４５  取付け用金具
４６  フィンガ
５１  差し込み部
５２  トッププレート
５３  フィンガプレート
５４  連結ロッド
５５  加圧用チューブ
５６  開放用チューブ
５７  差し込み部
５８  ばね部材
５９  ゴム板
６３、６４  ブラケット
６５  ボトムプレート
７０  プーリー
１２０、１３０  ドクター装置
１２１、１３１  ドクターブレード
１２２、１３２  ブレード保持部
１２４、１３４  ドクターバック
１２４、１３４  加圧用チューブ
１２５、１３５  開放用チューブ
【図１】
0003130096.tif 000003
【図２】
0003130096.tif 000004
【図３】
0003130096.tif 000005
【図４】
0003130096.tif 000006
【図５】
0003130096.tif 000007
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
渦巻き状に巻き取られている長尺状のドクターブレードを供給するブレード供給ドラムと、
長尺状のドクターブレードを渦巻き状に巻き取って回収するブレード回収ドラムと、
前記ブレード供給ドラムから巻き出された前記ドクターブレードをドクタリング位置を経由して前記ブレード回収ドラムに向けて移動させるブレード移動機構と、
前記ドクタリング位置にある前記ドクターブレードの部分を、前記ドクタリング位置においてドクタリング対象のロールの外周面に対して圧接可能なブレード支持機構と、
前記ドクタリング位置を経由して前記ブレード回収ドラムに巻き取られる前の前記ドクターブレードの部分に付着している異物を掻き落とすための回収側ブレードクリーニング機構とを有し、
前記ブレード移動機構は、前記ブレード回収ドラムを前記ドクターブレードを巻き取る方向に回転させるための回収側モータと、この回収側モータの回転力を前記ブレード回収ドラムに伝達するか否かを切り替えるための回収側エアークラッチとを備えていることを特徴とするドラム式セルフクリーニングドクター装置。
【請求項２】
前記ドクタリング位置を経由して前記ブレード供給ドラムに巻き取られる前の前記ドクターブレードの部分に付着している異物を掻き落とすための供給側ブレードクリーニング機構を有し、
前記ブレード移動機構は、前記ブレード供給ドラムを前記ドクターブレードを巻き取る方向に回転させるための供給側モータと、この供給側モータの回転力を前記ブレード供給ドラムに伝達するか否かを切り替えるための供給側エアークラッチとを備えていることを特徴とする請求項１に記載のドラム式セルフクリーニングドクター装置。
【請求項３】
前記ブレード移動機構は、前記ドクタリング位置と前記ブレード供給ドラムの間、および、前記ドクタリング位置と前記ブレード供給ドラムの間のうち、少なくとも一方に、ドクターブレードの移動方向を変更するためのプーリーなどのガイド部材を有していることを特徴とする請求項１または２に記載のドラム式セルフクリーニングドクター装置。